(57)【要約】【課題】光源の負荷をより低下させることができるとともにより良好な画質で表示出力を行うことができる表示装置等を提供すること。【解決手段】表示装置は、画像信号に基づいて表示が制御される表示領域を有する画像表示パネルと、複数の光源で画像表示パネルを照明する光源装置と、画像信号に基づいて複数の光源の各々の点灯量を制御する制御部とを備え、表示領域は、それぞれ１つ以上の光源が割り当てられた複数の区分領域を含み、制御部は、区分領域をさらに分割した小区分領域の各々における画像信号に基づいて小区分領域の各々に必要な輝度を算出し、各々の区分領域が有する複数の小区分領域の各々に必要な輝度のうち最大の輝度に基づいて、複数の光源の点灯量を決定するための各々の区分領域の輝度を設定し、小区分領域に必要な輝度に基づいて、当該小区分領域に隣接する区分領域の輝度を再設定する。【選択図】図１６
2018097203.tif 000002
【特許請求の範囲】
【請求項１】
画像信号に基づいて表示が制御される表示領域を有する画像表示パネルと、
複数の光源で前記画像表示パネルを照明する光源装置と、
前記画像信号に基づいて前記複数の光源の各々の点灯量を制御する制御部とを備え、
前記表示領域は、各々が１つ以上の光源により照明される複数の区分領域を含み、
前記制御部は、
前記区分領域をさらに分割した小区分領域の各々における画像信号に基づいて小区分領域の各々に必要な輝度を算出し、
各々の区分領域が有する複数の小区分領域の各々に必要な輝度のうち最大の輝度に基づいて、前記複数の光源の点灯量を決定するための各々の区分領域の輝度を仮設定し、
１つの区分領域が有する複数の小区分領域の各々に必要な輝度のうち少なくとも前記最大の輝度に基づいて、少なくとも当該小区分領域に隣接する区分領域の輝度を再設定する
表示装置。
【請求項２】
前記制御部は、前記再設定後の区分領域の輝度及び当該区分領域が有する複数の小区分領域の各々に必要な輝度のうち少なくとも前記最大の輝度に基づいて、所定の第２上限輝度以下の範囲内で当該区分領域を照明する光源の点灯量を補正する
請求項１に記載の表示装置。
【請求項３】
前記制御部は、前記小区分領域に必要な輝度に所定の係数を乗じて算出された再設定用輝度が当該小区分領域に隣接する区分領域の輝度よりも大きい場合に当該再設定用輝度を当該区分領域の輝度として再設定する
請求項１又は２に記載の表示装置。
【請求項４】
前記複数の区分領域は、少なくとも一方向に沿って配置されている
請求項１から３のいずれか一項に記載の表示装置。
【請求項５】
前記光源装置は、前記一方向に沿って複数の光源が配置された光源列を複数有する
請求項４に記載の表示装置。
【請求項６】
前記複数の区分領域は、直交する二方向に沿って配置されている
請求項５に記載の表示装置。
【請求項７】
前記一方向に直交する他方向に沿って並ぶ複数の区分領域の配置が互い違いである
請求項５に記載の表示装置。
【請求項８】
１つの区分領域は、直交する二方向の各々に二分する２つの分割線による４つの小区分領域を有する
請求項６又は７に記載の表示装置。
【請求項９】
前記２つの分割線のうち１つは、前記一方向に沿う
請求項８に記載の表示装置。
【請求項１０】
前記２つの分割線は、前記一方向に沿わない
請求項８に記載の表示装置。
【請求項１１】
前記複数の光源の各々は、前記複数の区分領域のうち１つに割り当てられる
請求項１から１０のいずれか一項に記載の表示装置。
【請求項１２】
１つの区分領域に２つ以上の光源が割り当てられている
請求項１１に記載の表示装置。
【請求項１３】
画像信号に基づいて表示が制御される表示領域を有する画像表示パネルと、複数の光源で前記画像表示パネルを照明する光源装置とを備える表示装置の駆動方法であって、
前記表示領域に、それぞれ１つ以上の光源が割り当てられた複数の区分領域を設定し、
前記複数の光源の各々を、前記複数の区分領域のうち１つに割り当て、
前記区分領域をさらに分割した小区分領域の各々における画像信号に基づいて小区分領域の各々に必要な輝度を算出し、
各々の区分領域が有する複数の小区分領域の各々に必要な輝度のうち最大の輝度に基づいて、前記複数の光源の点灯量を決定するための各々の区分領域の輝度を設定し、
１つの区分領域と隣接する隣接区分領域であって、当該１つの区分領域が有する複数の小区分領域のうち前記最大の輝度が算出された小区分領域に隣接する隣接区分領域の輝度を当該最大の輝度に基づいて再設定する
表示装置の駆動方法。
【発明の詳細な説明】
【技術分野】
【０００１】
本発明は、表示装置及び表示装置の駆動方法に関する。
【背景技術】
【０００２】
所謂ローカルディミング技術が採用された表示装置として、バックライトによる照明領域を複数の区分領域に分割して制御するマルチディスプレイ装置が知られている（例えば特許文献１）。
【先行技術文献】
【特許文献】
【０００３】
【特許文献１】特開２０１３−２４６４２６号公報
【発明の概要】
【発明が解決しようとする課題】
【０００４】
ローカルディミング技術では、表示装置の表示領域のうち一部分で大光量が必要となる場合、この一部分に対応する光源に加えてこの光源の周囲に位置する光源で光量を補うことがあった。一般的に、周囲から光量を補う光源に対する光量の割り当てルーチンは固定であり、大光量が必要となる一部分の表示領域における輝度分布と関係がない。このため、周囲から光量を補うために点灯する光源が固定化されて特定の光源に負荷が集中することがあった。また、大光量が必要となる一部分の表示領域における輝度分布が示す光量の偏りと、この一部分に対して周囲から光量を補う光源の位置とが食い違うことがあった。この場合、大光量が必要となる一部分の表示領域が周囲から光量を補う光源の位置と逆方向に遷移する表示出力内容の更新があった場合に周囲から光量を補っていた光源とは異なる光源を突然点灯させることになるため、輝度分布が当然変化することによる画質の劣化が生じることがあった。
【０００５】
本発明は、上記の課題に鑑みてなされたもので、光源の負荷をより低下させることができるとともにより良好な画質で表示出力を行うことができる表示装置及び表示装置の駆動方法を提供することを目的とする。
【課題を解決するための手段】
【０００６】
本発明の一態様による表示装置は、画像信号に基づいて表示が制御される表示領域を有する画像表示パネルと、複数の光源で前記画像表示パネルを照明する光源装置と、前記画像信号に基づいて前記複数の光源の各々の点灯量を制御する制御部とを備え、前記表示領域は、それぞれ１つ以上の光源が割り当てられた複数の区分領域を含み、前記制御部は、前記区分領域をさらに分割した小区分領域の各々における画像信号に基づいて小区分領域の各々に必要な輝度を算出し、各々の区分領域が有する複数の小区分領域の各々に必要な輝度のうち最大の輝度に基づいて、前記複数の光源の点灯量を決定するための各々の区分領域の輝度を設定し、小区分領域に必要な輝度に基づいて、当該小区分領域に隣接する区分領域の輝度を再設定する。
【図面の簡単な説明】
【０００７】
【図１】図１は、実施形態１に係る表示装置の構成の一例を示すブロック図である。
【図２】図２は、実施形態１に係る画像表示パネルの画素配列を示す図である。
【図３】図３は、光源装置の構成例を示す模式図である。
【図４】図４は、行方向に沿って並ぶ複数の光源の各々の輝度と光源行全体の輝度分布との関係の一例を示す図である。
【図５】図５は、光源装置の輝度分布に基づいた光源の点灯量の決定処理の流れを模式図に示したグラフである。
【図６】図６は、光源装置の輝度分布に基づいた光源の点灯量の決定処理の流れを模式図に示したグラフである。
【図７】図７は、光源装置の輝度分布に基づいた光源の点灯量の決定処理の流れを模式図に示したグラフである。
【図８】図８は、光源装置の輝度分布に基づいた光源の点灯量の決定処理の流れを模式図に示したグラフである。
【図９】図９は、光源装置の輝度分布に基づいた光源の点灯量の決定処理の流れを模式図に示したグラフである。
【図１０】図１０は、光源の点灯量の変更対象の選定方法を模式的に説明する図である。
【図１１】図１１は、仮設定の再設定例を示すグラフである。
【図１２】図１２は、信号処理部の機能構成例を示す機能ブロック図である。
【図１３】図１３は、照明点灯量計算部のサブブロック図である。
【図１４】図１４は、複数の区分領域の各々が必要とする輝度の一例を示す模式図である。
【図１５】図１５は、小区分領域の各々が必要とする輝度の一例を示す模式図である。
【図１６】図１６は、１つの区分領域に含まれる小区分領域の各々が必要とする輝度に基づいた他の区分領域の必要輝度の算出例を示す模式図である。
【図１７】図１７は、再設定後の複数の区分領域の輝度の一例を示す模式図である。
【図１８】図１８は、不足する輝度分が生じた区分領域と、この区分領域において最大の輝度を示す小区分領域と、不足する輝度分を補うために点灯量を上昇させる隣接光源点灯量補正の対象となる光源の配置に対応する区分領域との対応関係及び光源点灯量補正の実施順序の一例を示す図である。
【図１９】図１９は、隣接光源点灯量補正後の複数の区分領域の輝度の一例を示す模式図である。
【図２０】図２０は、実施形態の表示装置で再現可能な再現ＨＳＶ色空間の概念図である。
【図２１】図２１は、光源駆動信号を求める処理の流れの一例を示すフローチャートである。
【図２２】図２２は、図２１に示す光源点灯量補正の算出処理の流れの一例を示すフローチャートである。
【図２３】図２３は、実施形態２に係る表示装置の構成の一例を示すブロック図である。
【図２４】図２４は、不足する輝度分が生じた区分領域と、この区分領域において最大の輝度を示す小区分領域と、不足する輝度分を補うために点灯量を上昇させる隣接光源点灯量補正の対象となる光源の配置に対応する区分領域との対応関係及び光源点灯量補正の実施順序の他の一例を示す図である。
【図２５】図２５は、変形例１に係る画像表示パネルの区分領域及び小区分領域の設定例を示す模式図である。
【図２６】図２６は、変形例１に係る光源装置の光源の配置例を示す図である。
【図２７】図２７は、変形例２に係る画像表示パネルの区分領域及び小区分領域の設定例を示す模式図である。
【図２８】図２８は、変形例２に係る光源装置の光源の配置例を示す図である。
【図２９】図２９は、変形例３に係る画像表示パネルの区分領域及び小区分領域の設定例を示す模式図である。
【図３０】図３０は、変形例４に係る画像表示パネルの区分領域及び小区分領域の設定例を示す模式図である。
【図３１】図３１は、変形例５に係る光源装置の構成例を示す図である。
【図３２】図３２は、変形例５に係る画像表示パネルの区分領域及び小区分領域の設定例を示す模式図である。
【発明を実施するための形態】
【０００８】
以下、発明を実施するための形態について、図面を参照して詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（実施形態１）
図１は、実施形態１に係る表示装置の構成の一例を示すブロック図である。図２は、実施形態１に係る画像表示パネルの画素配列を示す図である。図１に示すように、表示装置１０は、制御装置１１からの原画像の入力信号である処理前信号ＢＤ及び制御データＯＤが入力され、処理後信号ＡＤ及び光源駆動信号ＢＬを出力し、表示装置１０の動作を制御する信号処理部２０と、画像信号として機能する処理後信号ＡＤに基づいて表示が制御される表示領域を有し、表示領域に画像を表示させる画像表示パネル（表示部）３０と、画像表示パネル３０の駆動を制御する画像表示パネル駆動部４０と、画像表示パネル３０を背面から照明するバックライトとして機能する光源装置５０と、光源装置５０の駆動を制御する光源装置駆動部６０と、を備える。制御装置１１、信号処理部２０、及び光源装置駆動部６０は、例えば半導体集積回路（ＩＣ）で構成される。なお、制御装置１１、信号処理部２０、及び光源装置駆動部６０は、１つの半導体集積回路（ＩＣ）に構成されていても良いし、それぞれが異なる半導体集積回路（ＩＣ）に構成されていても良い。制御装置１１、信号処理部２０、及び光源装置駆動部６０の構成により本発明が限定されるものではない。
【００１０】
信号処理部２０は、画像表示パネル３０及び光源装置５０の動作を制御する演算処理部である。信号処理部２０は、画像表示パネル３０を駆動するための画像表示パネル駆動部４０、及び、光源装置５０を駆動するための光源装置駆動部６０と接続されている。信号処理部２０は、制御装置１１から入力される信号等に基づいた演算処理を行って処理後信号ＡＤ及び光源駆動信号ＢＬを生成する。具体的には、信号処理部２０は、例えば、第１の色、第２の色、第３の色で再現される画像を出力するための処理前信号ＢＤを、第１の色、第２の色、第３の色及び第４の色で再現される画像を画像表示パネル３０で出力するための処理後信号ＡＤに変換して生成する。信号処理部２０は、生成した処理後信号ＡＤを画像表示パネル駆動部４０に出力する。また、信号処理部２０は、処理前信号ＢＤ及び制御データＯＤに基づいて、処理後信号ＡＤの入力に応じて動作する画像表示パネル３０を照明する光源装置５０からの光量を制御するための光源駆動信号ＢＬを生成する。信号処理部２０は、光源駆動信号ＢＬを光源装置駆動部６０に出力する。処理前信号ＢＤは、例えば所謂ＲＧＢ信号である。処理後信号ＡＤは、例えば所謂ＲＧＢＷ信号である。制御データＯＤは、例えば後述する区分領域及び小区分領域を示すデータ、クロック信号等の制御用の信号等を含む。
【００１１】
図１に示すように、画像表示パネル３０は、複数の画素４８が２次元のマトリクス状（行列状）に配列されている。図１に示す例は、表示領域として機能する画像表示パネル３０の表示面におけるＸＹの２次元座標系に複数の画素４８がマトリクス状に配列されている例を示している。この例において、行方向がＸ方向、列方向はＹ方向である。
【００１２】
図２に示すように、画素４８は、第１副画素４９Ｒと、第２副画素４９Ｇと、第３副画素４９Ｂと、第４副画素４９Ｗとを有する。第１副画素４９Ｒは、第１原色（例えば、赤色）を表示する。第２副画素４９Ｇは、第２原色（例えば、緑色）を表示する。第３副画素４９Ｂは、第３原色（例えば、青色）を表示する。第４副画素４９Ｗは、第４の色（具体的には白色）を表示する。このように、画像表示パネル３０に行列状に配列された画素４８は、第１の色を表示する第１副画素４９Ｒ、第２の色を表示する第２副画素４９Ｇ、第３の色を表示する第３副画素４９Ｂ及び第４の色を表示する第４副画素４９Ｗを含む。第１の色、第２の色、第３の色及び第４の色は、第１原色、第２原色、第３原色及び白色に限られず、補色など色が異なっていればよい。第４の色を表示する第４副画素４９Ｗは、同じ光源点灯量で照射された場合、第１の色を表示する第１副画素４９Ｒ、第２の色を表示する第２副画素４９Ｇ、第３の色を表示する第３副画素４９Ｂよりも明るいことが好ましい。以下の説明において、第１副画素４９Ｒと、第２副画素４９Ｇと、第３副画素４９Ｂと、第４副画素４９Ｗとをそれぞれ区別する必要がない場合、副画素４９という。
【００１３】
表示装置１０は、より具体的には、透過型のカラー液晶表示装置である。図２に示すように、画像表示パネル３０は、カラー液晶表示パネルであり、第１副画素４９Ｒと画像観察者との間に第１原色を通過させる第１カラーフィルタが配置され、第２副画素４９Ｇと画像観察者との間に第２原色を通過させる第２カラーフィルタが配置され、第３副画素４９Ｂと画像観察者との間に第３原色を通過させる第３カラーフィルタが配置されている。また、画像表示パネル３０は、第４副画素４９Ｗと画像観察者との間にカラーフィルタが配置されていない。この場合には、第４副画素４９Ｗに大きな段差が生じることとなる。このため、第４副画素４９Ｗには、カラーフィルタの代わりに透明な樹脂層が備えられていてもよい。これにより、第４副画素４９Ｗに大きな段差が生じることを抑制することができる。
【００１４】
図１及び図２に示す画像表示パネル駆動部４０は、本実施形態の制御部に含まれ、信号出力回路４１及び走査回路４２を備えている。画像表示パネル駆動部４０は、信号出力回路４１によって映像信号を保持し、順次、画像表示パネル３０に出力する。信号出力回路４１は、信号線ＤＴＬによって画像表示パネル３０と電気的に接続されている。画像表示パネル駆動部４０は、走査回路４２によって、画像表示パネル３０における副画素４９を選択し、副画素４９の動作（光透過率）を制御するためのスイッチング素子（例えば、薄膜トランジスタ（ＴＦＴ：Thin  Film  Transistor））のオン及びオフを制御する。走査回路４２は、走査線ＳＣＬによって画像表示パネル３０と電気的に接続されている。
【００１５】
光源装置５０は、複数の光源で画像表示パネルを照明する。光源装置５０は、画像表示パネル３０の背面に配置され、画像表示パネル３０に向けて光を照射することで、画像表示パネル３０を照明する。光源装置駆動部６０は、光源装置５０から出力する光の光量等を制御する。光源装置駆動部６０は、本実施形態の制御部に含まれる。具体的には、光源装置駆動部６０は、信号処理部２０から出力される光源駆動信号ＢＬに基づいて光源装置５０に供給する電流値を調整することで、画像表示パネル３０を照射する光量（光の強度）を光源駆動信号ＢＬに応じた光量とする。
【００１６】
図３は、光源装置５０の構成例を示す模式図である。本発明に係る光源装置５０は、一方向に沿って複数の光源（例えば、光源５１）が配置された光源列を複数有する。ここでいう一方向とは、Ｘ方向、Ｙ方向の少なくともいずれか一方である。本実施形態の光源装置５０は、Ｘ方向及びＹ方向の二方向に沿って複数の光源が配置された光源列及び光源行を有する。具体的には、例えば図３に示すように、光源装置５０は、２次元のマトリクス状（行列状）に配列されている複数の光源５１を有する。光源５１は、例えば、同色（例えば、白色）の発光ダイオード（ＬＥＤ：Light  Emitting  Diode）である。図３では、［ｈ＝０］〜［ｈ＝６］のＸ方向座標と［ｖ＝０］〜［ｖ＝３］のＹ方向座標で識別可能な７×４＝２８のＸＹ座標で識別可能なブロックの各々に１つずつ光源５１が配置された例を示している。本実施形態では、このブロックは、後述する区分領域に対応する。以降、同様のＸＹ座標を用いて説明を行うことがある。なお、図３では、Ｘ方向に沿って７つの光源５１が並び、Ｙ方向に沿って４つの光源５１が並んでいる光源装置５０を示しているが、あくまで模式的な例示である。光源装置５０が有する光源５１の配置及び数は、図３に示す例に限られるものでなく、適宜変更可能である。
【００１７】
図４は、行方向に沿って並ぶ複数の光源５１の各々の輝度と光源行全体の輝度分布との関係の一例を示す図である。複数の光源５１の各々は、予め定められた第１上限輝度（ＭＡＸ）から最低輝度（消灯）までの範囲内で輝度を変化させることができる。ここで、光源５１は、点灯時おける光の一部によって隣接するブロックを照明する。すなわち、各ブロックの輝度は、各ブロックに配置されている光源５１からの光と、隣接するブロックに配置されている光源５１からの光の影響を受ける。例えば、全ての光源５１が第１上限輝度で点灯した場合、各ブロックの輝度は、第１上限輝度を上回る全点灯時輝度（１００％ＡＬＬ）になる。
【００１８】
光源５１は、第１上限輝度を上回る輝度で点灯する性能を有している。例えば、本実施形態における光源５１は、第１上限輝度を上回る輝度である第２上限輝度（ＬＩＭＩＴ）まで輝度を上げた状態で点灯させることができる性能を有する。第２上限輝度（ＬＩＭＩＴ）は、例えば、第１上限輝度（ＭＡＸ）を電流量１００［％］時の光源５１の輝度とすると、電流量１２５［％］時の光源５１の輝度である。一方、光源５１の点灯時の輝度を第１上限輝度で制限することで、消費電力の低減、光源５１の長寿命化等のメリットが生じる。すなわち、第１上限輝度は、第２上限輝度よりも光源５１への負担を軽減するために予め第２上限輝度を下回る輝度として設定されている輝度である。
【００１９】
図４では、行方向に沿って並ぶ複数の光源５１の各々の輝度と光源行全体の輝度分布との関係を例示しているが、列方向に沿って並ぶ複数の光源５１の各々の輝度と光源列全体の輝度分布との関係についても同様である。ただし、光源列の場合、図４に示す［ｈ＝０］〜［ｈ＝６］の計７つの光源５１の点灯量が、［ｖ＝０］〜［ｖ＝３］の計４つの光源５１の点灯量に置き換わる。なお、本実施形態のように複数の光源５１が二次元マトリクス状に配置されている場合、点灯量と輝度との関係も二次元的に関連する。すなわち、あるブロックの光源５１は、そのブロックに二次元的に隣接するブロックの他の光源５１の影響を受ける。
【００２０】
次に、信号処理部２０が行う処理のうち、光源駆動信号ＢＬに関連する処理における光源５１の点灯量の制御方法の基本的な考え方について説明する。図５〜図９は、光源装置５０の輝度分布に基づいた光源５１の点灯量の決定処理の流れを模式図に示したグラフである。図５〜図９では考え方をより分かりやすく示す目的で、行方向に沿って並ぶ複数の光源５１の各々の輝度と光源行全体の光量との関係を以て説明を簡略化しているが、本実施形態の場合、実際には点灯量と輝度との関係は二次元的である。
【００２１】
まず、ブロック単位で必要輝度が求められる。必要輝度は、各ブロックに配置された光源により照明される画像表示パネル３０の表示出力内容、例えば後述する区分領域単位での表示出力内容に応じて求められる。図５〜図９及び後述する図１１では、必要輝度に符号Ｌａを付している。
【００２２】
次に、必要輝度に応じてブロック単位で光源５１の点灯量が仮設定される。具体的には、例えば光源５１のピーク輝度が必要輝度と略等しくなるように光源５１の点灯量が仮設定される。図６〜図９及び後述する図１１では、［ｈ＝０］，［ｈ＝１］，［ｈ＝２］，［ｈ＝３］，［ｈ＝４］，［ｈ＝５］，［ｈ＝６］のブロック単位で仮設定された光源５１の点灯量にそれぞれ符号Ｌｂ０，Ｌｂ１，Ｌｂ２，Ｌｂ３，Ｌｂ４，Ｌｂ５，Ｌｂ６を付している。
【００２３】
次に、仮設定された光源５１の点灯量に応じた仮点灯量輝度分布の計算が行われる。具体的には、例えば、仮設定された光源５１の点灯量と、事前の測定等によって予め得られている光源５１の各々の点灯量と表示領域で得られる光量の関係（明暗）、隣接する複数の光源５１同士の影響等、輝度分布の算出における各種の決定要因を示すデータ（例えば、後述する参照データ２２ｆ）とを対照し、複数の光源５１によって総合的に表示領域に与えられる輝度分布が算出される。図７〜図９では、仮設定された光源５１の点灯量に応じた仮点灯量輝度分布に符号Ｌｃを付している。
【００２４】
次に、必要輝度と仮点灯量輝度分布との差に基づいて、必要輝度を得るための光源５１の点灯量の補正（光源点灯量補正）が行われる。具体的には、仮点灯量輝度分布に含まれない必要輝度が生じているブロックの光源５１の点灯量を上昇させる点灯量の補正が行われる。図８及び図９では、仮点灯量輝度分布に含まれない必要輝度が生じている［ｈ＝１］のブロックで点灯量Ｌｂ１から上昇するよう補正された光源５１の点灯量に符号Ｌｄ１を付している。
【００２５】
仮点灯量輝度分布に含まれない必要輝度が生じているブロックの光源５１の点灯量の補正は、第２上限輝度（ＬＩＭＩＴ）までの範囲内で行われる。光源点灯量補正後、仮点灯量輝度分布の計算と同様の仕組みで、補正後の点灯量に応じた輝度分布の算出が行われる。ここで、仮点灯量輝度分布に含まれない必要輝度が生じているブロックの光源５１の点灯量を第２上限輝度（ＬＩＭＩＴ）まで上昇させてもそのブロックの必要輝度が補正後の輝度分布に含まれない場合、そのブロックに隣接するブロックの光源５１の点灯量を上昇させることで必要輝度を確保するための隣接光源点灯量補正が行われる。図９では、［ｈ＝１］のブロックに隣接する［ｈ＝２］のブロックで点灯量Ｌｂ２から上昇するよう隣接光源点灯量補正が行われた光源５１の点灯量に符号Ｌｅ２を付している。また、図９では、［ｈ＝２］のブロックで点灯量Ｌｂ２から点灯量Ｌｅ２に上昇するよう隣接光源点灯量補正が行われたことで必要輝度が確保された後に算出された輝度分布に符号Ｌｆを付している。
【００２６】
次に、光量を周囲から補う場合に点灯量を変更する対象とする光源５１の選定方法の考え方について説明する。図１０は、光源５１の点灯量の変更対象の選定方法を模式的に説明する図である。例えば図１０に示すように、［ｈ＝１］，［ｖ＝１］のブロックの光源５１に対応する表示領域の一部分（区分領域）で、高輝度出力Ｈ１が行われる場合について考える。ここで、この一部分を行列方向に２×２に細分化した場合、高輝度出力Ｈ１は、［ｈ＝２］，［ｖ＝２］側のブロックに隣接する領域（小区分領域）に位置している。このような場合、［ｈ＝０］，［ｖ＝０］側のブロックの光源５１で光量を補うよりも、［ｈ＝２］，［ｖ＝２］側のブロックの光源５１で光量を補うほうが高輝度出力Ｈ１の位置に近い光源５１で光量を補うことができ、より効率的である。また、表示出力内容の変化が生じた場合、高輝度出力Ｈ１が他のブロック側に移動するために必要な移動量は、［ｈ＝０］，［ｖ＝０］側のブロックより［ｈ＝２］，［ｖ＝２］側のブロックの方が小さい。このため、例えば移動後の高輝度出力Ｈ２で例示するように表示出力内容の変化が生じた場合、進入してきた高輝度出力Ｈ１を行うための点灯量が要求されることになる可能性がより高いブロックは、［ｈ＝２］，［ｖ＝２］側のブロックになる。仮に、［ｈ＝２］，［ｖ＝２］側のブロックの光源が点灯していない状態で［ｈ＝２］，［ｖ＝２］側のブロックで高輝度出力Ｈ１が行われることになった場合、突然［ｈ＝２］，［ｖ＝２］側のブロックの光源５１を高輝度で点灯させることになる。一方、予め［ｈ＝２］，［ｖ＝２］側のブロックの光源５１で［ｈ＝１］，［ｖ＝１］の光量を補っていた場合、［ｈ＝２］，［ｖ＝２］側のブロックの光源５１の点灯によりもたらされる輝度の変化はより小さくなる。このように、補う必要がある出力が行われている小区分領域の位置に応じて、点灯量を変更する対象とする光源５１を選定して光量を周囲から補うようにすることで、輝度の変化の可能性をより小さくすることができ、突然輝度が大きく変化することによる画質の劣化を抑制しやすくなる。図１０では、高輝度出力Ｈ１が行われる場合に光量を周囲から補うとき、点灯量の変更対象となる光源５１が配置されているブロックとしてより適当と考えられる［ｈ＝２］，［ｖ＝１］のブロック及び［ｈ＝１］，［ｖ＝２］のブロックに相対的に濃いマスキングを施している。また、これらのブロックに次いで点灯量の変更対象となる光源５１が配置されているブロックとして適当と考えられる［ｈ＝２］，［ｖ＝２］のブロックに相対的に薄いマスキングを施している。このような光源５１の選定は、隣接光源点灯量補正において採用することもできるし、仮設定された点灯量の再設定においても採用することができる。
【００２７】
図１１は、仮設定の再設定例を示すグラフである。光源５１の点灯量の仮設定（図６参照）後に、仮点灯量輝度分布に含まれない必要輝度が生じているブロックの光源５１の点灯量を上昇させる点灯量の補正（図８参照）を行う前に予め仮設定された点灯量のうち、より高い輝度が求められているブロック（例えば、［ｈ＝１］）に隣接するブロック（例えば、［ｈ＝２］）における点灯量を、図１１で例示するように仮設定の段階で上昇させるように再設定することで、点灯量の補正（図８参照）、隣接光源点灯量補正（図９参照）において求められる補正の度合いをより小さくしやすくなる。図１１では、再設定された［ｈ＝２］の光源５１の点灯量に符号Ｌｇ２を付している。
【００２８】
次に、複数の光源の各々の点灯量を制御するための信号である光源駆動信号ＢＬを出力する信号処理部２０についてより詳細に説明する。図１２は、信号処理部２０の機能構成例を示す機能ブロック図である。信号処理部２０は、ブロック必要輝度算出部２１、照明点灯量計算部２２、輝度分布計算部２３、画素処理部２４として機能する。
【００２９】
ブロック必要輝度算出部２１は、制御データＯＤに基づいて設定される複数の区分領域及び小区分領域の各々について、処理前信号ＢＤに基づいて複数の区分領域及び小区分領域の各々に必要な輝度（必要輝度）を算出する。この必要輝度は、上記の図５を参照して説明した必要輝度に対応する。
【００３０】
図１４は、複数の区分領域の各々が必要とする輝度の一例を示す模式図である。図１４では、区分領域を示す矩形の内側に記載されている数値が区分領域の各々の必要輝度（後述）を示している。図１４ならびに後述する図１５及び図１７では、実線で区分された矩形の各々が区分領域を示している。区分領域は、画像表示パネル３０が画像の表示出力を行う表示領域の一部分である。表示領域は、複数の区分領域に区分することができる。言い換えれば、全ての区分領域を併せた領域が表示領域である。画像表示パネル３０が有する画素４８は、いずれかの区分領域に含まれる。
【００３１】
複数の区分領域は、少なくとも一方向に沿って配置されている。例えば、複数の区分領域は、直交する二方向に沿って配置されている。本実施形態では、［ｈ＝０］〜［ｈ＝６］のＸ方向座標と［ｖ＝０］〜［ｖ＝３］のＹ方向座標で識別可能な７×４＝２８のＸＹ座標で識別可能な区分領域が制御データＯＤに基づいて設定される。すなわち、制御データＯＤが区分領域の設定を示す情報を含む。ブロック必要輝度算出部２１は、制御データＯＤに基づいて区分領域を設定する。また、図３と図１４との対応関係が例示するように、区分領域の各々に個別に光源５１が設けられている。このように、複数の光源５１の各々は、複数の区分領域のうち１つに割り当てられている。複数の区分領域は、各々が１つ以上の光源により照明される。
【００３２】
図１５は、小区分領域の各々が必要とする輝度の一例を示す模式図である。図１５では、区分領域を複数の小区分領域に分割する分割線を破線で示している。また、図１５では、小区分領域を示す矩形の内側に記載されている数値が小区分領域の各々の必要輝度（後述）を示している。小区分領域は、区分領域の一部分である。１つの区分領域は、複数の小区分領域に区分することができる。１つの小区分領域は、１つ以上の画素４８を含む領域である。
【００３３】
本実施形態における複数の区分領域の各々は、直交する二方向の各々に二分する２つの分割線による４つの小区分領域を有する。また、本実施形態における２つの分割線の一方はＸ方向に沿い、他方はＹ方向に沿う。具体的には、例えば図１５に示すように、１つの区分領域が有する４つの小区分領域は、ＸＹ方向に２×２の配置となっている。図１５では、２つの分割線が区分領域を４等分する例を示しているが、これは一例であってこれに限られるものでない。例えば、１つの区分領域が有するＸ方向の画素４８の数が奇数である場合、Ｘ方向に並ぶ複数の小区分領域の各々の画素４８の画素数が異なっていてもよい。また、１つの区分領域が有するＹ方向の画素４８の数が奇数である場合、Ｙ方向に並ぶ複数の小区分領域の各々の画素４８の画素数が異なっていてもよい。
【００３４】
ブロック必要輝度算出部２１は、区分領域を複数に分割した小区分領域の各々における画像信号に基づいて小区分領域の各々に必要な輝度を算出する。具体的には、ブロック必要輝度算出部２１は、処理前信号ＢＤが示す副画素４９の各々の階調値に応じた必要輝度を算出する。一例として、処理前信号ＢＤが副画素４９の各色を８ビットの階調値で示す場合について説明する。８ビットの階調値は、０を最小値とし、２５５を最大値とする数値で表すことができる。本実施形態では、階調値が最大値である場合に副画素４９を照明する光源５１に求められる輝度が第１上限輝度であるものとする。この場合の必要輝度は、１００［％］となる。一方、階調値が最小値である場合に副画素４９を照明する光源５１に求められる輝度が最低輝度であるものとする。この場合の必要輝度は、０［％］となり、所謂光源５１の消灯状態をさす。本実施形態では、必要輝度が１００［％］である場合、全点灯時輝度（１００％ＡＬＬ）が必要になる。ブロック必要輝度算出部２１は、第２上限輝度（ＬＩＭＩＴ）よりも低い全点灯時輝度（１００％ＡＬＬ）の範囲内で必要輝度を算出する。
【００３５】
ブロック必要輝度算出部２１は、処理前信号ＢＤが示す副画素４９の階調値に対応する必要輝度を算出する。例えば、ブロック必要輝度算出部２１は、最大値と最小値との中間である階調値（例えば、１２７）である副画素４９の必要輝度を５０［％］と算出する。階調値と必要輝度との関係は、ブロック必要輝度算出部２１が有する記憶部に記憶されている所定のデータ（例えば、テーブル形式のデータ等）で定められていてもよいし、ブロック必要輝度算出部２１に実装された所定のアルゴリズムにより算出されてもよい。ブロック必要輝度算出部２１は、全ての副画素４９の階調値に対応する必要輝度を算出する。ブロック必要輝度算出部２１は、１つの小区分領域に含まれる副画素４９のうち、算出された必要輝度が最も大きい副画素４９の必要輝度をその小区分領域の必要輝度として導出する。ブロック必要輝度算出部２１は、小区分領域の必要輝度の導出を全ての小区分領域に対して個別に行う。図１５では、小区分領域を示す矩形の内側に記載されている数値が小区分領域の各々の必要輝度を示している。
【００３６】
ブロック必要輝度算出部２１は、各々の区分領域が有する複数の小区分領域の各々に必要な輝度のうち最大の輝度に基づいて、複数の光源５１の点灯量を決定するための各々の区分領域の輝度を仮設定する。具体的には、ブロック必要輝度算出部２１は、１つの区分領域に含まれる複数の小区分領域のうち、算出された必要輝度が最も大きい小区分領域の必要輝度をその区分領域の必要輝度として設定する。ブロック必要輝度算出部２１は、区分領域の必要輝度の設定を全ての区分領域に対して個別に行う。ブロック必要輝度算出部２１は、仮設定された全ての区分領域の必要輝度を示す仮設定情報ＢＢを照明点灯量計算部２２に出力する。図１４では、区分領域を示す矩形の内側に記載されている数値が区分領域の各々の必要輝度を示している。
【００３７】
図１３は、照明点灯量計算部２２のサブブロック図である。照明点灯量計算部２２は、仮設定情報ＢＢが示す必要輝度に基づいて、光源駆動信号ＢＬを出力する。具体的には、照明点灯量計算部２２は、例えば、仮点灯量設定部２２ａ、仮点灯量再設定部２２ｂ、仮点灯量輝度分布計算部２２ｃ、点灯量補正部２２ｄ、隣接光源点灯量補正部２２ｅ、参照データ２２ｆ等を有する。
【００３８】
仮点灯量設定部２２ａは、必要輝度に応じた光源５１の点灯量を仮設定する（光源点灯量仮設定）。仮点灯量設定部２２ａにより仮設定される点灯量は、上記の図６を参照して説明した仮設定による点灯量に対応する。具体的には、仮点灯量設定部２２ａは、例えば複数の区分領域の各々と対応する位置に配置された複数の光源５１の各々のピーク輝度が複数の区分領域の各々の必要輝度と略等しくなるように複数の光源５１の各々の点灯量を仮設定する。
【００３９】
仮点灯量再設定部２２ｂは、小区分領域に必要な輝度から再設定用輝度を算出する。具体的には、仮点灯量再設定部２２ｂは、例えば小区分領域の必要輝度に対して予め定められた再設定用輝度算出用の係数（例えば、ｋ１及びｋ２）を乗じて再設定用輝度を算出する。仮点灯量再設定部２２ｂにより再設定される輝度に対応する点灯量は、上記の図１１を参照して説明した再設定による点灯量に対応する。
【００４０】
図１６は、１つの区分領域に含まれる小区分領域の各々が必要とする輝度に基づいた他の区分領域の必要輝度の算出例を示す模式図である。図１６及び後述する図１８、図２４は、図１４及び図１５においてマスキングが施された９つの区分領域のうち、中央に位置する［ｈ＝３］，［ｖ＝１］の区分領域が有する４つの小区分領域の各々の必要輝度から再設定用輝度を算出する場合を例示している。本実施形態では、小区分領域に対してＸ方向又はＹ方向に隣接する区分領域の再設定用輝度を算出するための第１係数（ｋ１）と小区分領域に対してＸ方向及びＹ方向と異なる方向である斜め方向に隣接する区分領域の再設定用輝度を算出するための第２係数（ｋ２）とが個別に定められている。第１係数（ｋ１）は、例えば０．４〜０．６の範囲内で定められた一意の数値（例：０．５）である。第２係数（ｋ２）は、例えば０〜０．２５の範囲内で定められた一意の数値（例：０）である。これらの係数の数値範囲及び一意の数値はあくまで一例であってこれに限られるものでなく、適宜変更可能である。
【００４１】
中央に位置する［ｈ＝３］，［ｖ＝１］の区分領域が有する４つの小区分領域のうち１つの小区分領域の必要輝度は、１００［％］である。よって、１００［％］の必要輝度に対して第１係数（ｋ１）を乗じて算出される再設定用輝度は、例えばｋ１＝０，５である場合、５０［％］である。また、１００［％］の必要輝度に対して第２係数（ｋ２）を乗じて算出される再設定用輝度は、例えばｋ２＝０である場合、０［％］である。この１つの小区分領域は、［ｈ＝３］，［ｖ＝０］の区分領域とＹ方向に隣接している。また、この１つの小区分領域は、［ｈ＝２］，［ｖ＝１］の区分領域とＸ方向に隣接している。よって、これらの区分領域の再設定用輝度として、第１係数（ｋ１）を乗じて算出された再設定用輝度（５０［％］）が算出される。また、この１つの小区分領域は、［ｈ＝２］，［ｖ＝０］の区分領域と斜め方向に隣接している。よって、この区分領域の再設定用輝度として、第２係数（ｋ２）を乗じて算出された再設定用輝度（０［％］）が算出される。
【００４２】
中央に位置する［ｈ＝３］，［ｖ＝１］の区分領域が有する４つの小区分領域のうち他の３つの小区分領域の必要輝度は、５０［％］である。よって、５０［％］の小区分領域の必要輝度に対して第１係数（ｋ１）を乗じて算出される再設定用輝度は、例えばｋ１＝０，５である場合、２５［％］である。また、５０［％］の必要輝度に対して第２係数（ｋ２）を乗じて算出される再設定用輝度は、例えばｋ２＝０である場合、０［％］である。他の３つの小区分領域は、［ｈ＝３］，［ｖ＝０］の区分領域及び［ｈ＝３］，［ｖ＝２］の区分領域とＹ方向に隣接している。また、他の３つの小区分領域は、［ｈ＝２］，［ｖ＝１］の区分領域及び［ｈ＝４］，［ｖ＝１］の区分領域とＸ方向に隣接している。よって、これらの区分領域の再設定用輝度として、第１係数（ｋ１）を乗じて算出された再設定用輝度（２５［％］）が算出される。また、この１つの小区分領域は、［ｈ＝２］，［ｖ＝０］の区分領域、［ｈ＝４］，［ｖ＝０］の区分領域、［ｈ＝２］，［ｖ＝２］の区分領域及び［ｈ＝４］，［ｖ＝２］の区分領域と斜め方向に隣接している。よって、これらの区分領域の再設定用輝度として、第２係数（ｋ２）を乗じて算出された再設定用輝度（０［％］）が算出される。
【００４３】
なお、再設定用輝度算出用の係数は、照明点灯量計算部２２が有する記憶部に記憶されている参照データ２２ｆによって定められていてもよいし、仮点灯量再設定部２２ｂに実装されたアルゴリズムに含まれていてもよい。また、本実施形態における第１係数と第２係数は個別でなくともよく、統合された１つの係数であってもよい。また、第２係数を用いた再設定用輝度の算出は省略されてもよい。
【００４４】
以上、１つの区分領域に含まれる複数の小区分領域の必要輝度から再設定用輝度を算出する場合の処理の流れについて例示したが、仮点灯量再設定部２２ｂは、全ての区分領域に対して同様の処理を順次又は平行して実施する。なお、仮点灯量再設定部２２ｂが全ての区分領域に含まれる全ての小区分領域の必要輝度からの再設定用輝度の算出を完了しても、仮点灯量設定部２２ａが仮設定した複数の区分領域の点灯量は別途保持されている。
【００４５】
仮点灯量再設定部２２ｂは、１つの区分領域に対して複数の再設定用輝度を算出する。言い換えれば、隣接する区分領域を共有する複数の小区分領域の各々の必要輝度から算出された複数の再設定用輝度は、当該区分領域に対して算出された複数の再設定用輝度になる。例えば、図１６及び図１８では、［ｈ＝３］，［ｖ＝０］の区分領域、［ｈ＝３］，［ｖ＝２］の区分領域、［ｈ＝２］，［ｖ＝１］の区分領域及び［ｈ＝４］，［ｖ＝１］の区分領域に対して２つの再設定用輝度が算出されている。また、仮点灯量再設定部２２ｂは、複数の区分領域の各々に含まれる複数の小区分領域の必要輝度から再設定用輝度を算出する。このため、１つの区分領域に対して算出される再設定用輝度の数は、１つの区分領域に含まれる複数の小区分領域から算出された再設定用輝度の数よりも増えることがありうる。仮点灯量再設定部２２ｂは、１つの区分領域に対して複数の再設定用輝度が算出された場合、そのうち最も大きい再設定用輝度を当該１つの区分領域に対する再設定用輝度として導出する。
【００４６】
図１７は、再設定後の複数の区分領域の輝度の一例を示す模式図である。仮点灯量再設定部２２ｂは、小区分領域に必要な輝度に所定の係数を乗じて算出された再設定用輝度が当該小区分領域に隣接する区分領域の輝度よりも大きい場合に当該再設定用輝度を当該区分領域の輝度として再設定する。例えば、［ｈ＝３］，［ｖ＝０］の区分領域に設定されていた輝度は、３０［％］である。一方、［ｈ＝３］，［ｖ＝０］に対する再設定用輝度として、［ｈ＝３］，［ｖ＝１］の区分領域に含まれる１つの小区分領域（図１６における左上）の必要輝度（１００［％］）から算出された再設定用輝度（５０［％］）がある。この場合、小区分領域の必要輝度から算出された再設定用輝度（５０［％］）は、［ｈ＝３］，［ｖ＝０］の区分領域の輝度（３０［％］）よりも大きい。したがって、当該再設定用輝度（５０［％］）が［ｈ＝３］，［ｖ＝０］の区分領域の輝度として再設定される。同様の考え方で、仮点灯量再設定部２２ｂは、複数の区分領域の各々に設定されている輝度（図１４参照）よりも大きい再設定用輝度が算出されている区分領域の輝度を再設定用輝度で再設定する（図１７参照）。図１４及び図１７を参照した例では、［ｈ＝３］，［ｖ＝０］の区分領域の輝度が、３０［％］から５０［％］に再設定されている。また、［ｈ＝１］，［ｖ＝２］の区分領域の輝度が、０［％］から４０［％］に再設定されている。また、［ｈ＝３］，［ｖ＝２］の区分領域の輝度が、０［％］から２５［％］に再設定されている。また、［ｈ＝５］，［ｖ＝１］の区分領域の輝度及び［ｈ＝４］，［ｖ＝２］の区分領域の輝度が、０［％］から２０［％］に再設定されている。このように、仮点灯量再設定部２２ｂは、小区分領域に必要な輝度に基づいて、当該小区分領域に隣接する区分領域の輝度を再設定する（隣接光源点灯量再設定）。なお、輝度が再設定されなかった区分領域は、仮点灯量設定部２２ａによって仮設定された点灯量に応じた区分領域の輝度、すなわち、ブロック必要輝度算出部２１によって算出された必要輝度が保持される。
【００４７】
仮点灯量輝度分布計算部２２ｃは、仮点灯量再設定部２２ｂによる再設定後の輝度が反映された点灯量に応じた仮点灯量輝度分布の計算を行う。仮点灯量輝度分布計算部２２ｃにより算出される仮点灯量輝度分布は、上記の図７を参照して説明した仮点灯量輝度分布に対応する。具体的には、仮点灯量輝度分布計算部２２ｃは、例えば、再設定後の輝度に対応した複数の光源５１の各々の点灯量を求め、この点灯量と、事前の測定等によって予め得られている光源５１の各々の点灯量と表示領域で得られる光量の関係（明暗）、隣接する複数の光源５１同士の影響等、輝度分布の算出における各種の決定要因を示す参照データ２２ｆとを対照し、複数の光源５１によって総合的に表示領域に与えられる輝度分布を仮点灯量輝度分布として算出する。
【００４８】
なお、仮点灯量輝度分布の時点で必要輝度が得られていない区分領域がない場合、照明点灯量計算部２２は、仮点灯量再設定部２２ｂによる再設定後の輝度に対応する点灯量で複数の光源５１を点灯させるための光源駆動信号ＢＬを出力する。
【００４９】
点灯量補正部２２ｄは、必要輝度と仮点灯量輝度分布との差に基づいて、必要輝度を得るための光源５１の点灯量の補正（光源点灯量補正）を行う。点灯量補正部２２ｄによる光源点灯量補正は、上記の図８を参照して説明した光源点灯量補正に対応する。本実施形態の点灯量補正部２２ｄは、第２上限輝度（例えば、ＬＩＭＩＴ）以下の範囲内で複数の光源の点灯量を補正する。また、本実施形態の点灯量補正部２２ｄは、仮点灯量輝度分布において必要輝度が得られていない区分領域が有する複数の小区分領域の各々に必要な輝度のうち少なくとも最大の輝度に基づいて、当該区分領域を照明する光源の点灯量を補正する。
【００５０】
具体的には、点灯量補正部２２ｄは、仮点灯量輝度分布において必要輝度が得られていない区分領域に代表点を設定する。代表点とは、例えば、１つの区分領域に含まれる複数の小区分領域のうち、必要輝度が最高の輝度であった小区分領域における１つの画素４８の階調値に対応する輝度である。代表点として階調値が採用される画素４８は、この小区分領域で最高の階調値を示す画素４８であってもよいし、サンプリングにより抽出された画素４８であってもよい。点灯量補正部２２ｄは、設定された代表点を表示出力するために必要な輝度を算出する。この輝度の算出は、ブロック必要輝度算出部２１による必要輝度の算出と同様の考え方に基づいた算出である。また、点灯量補正部２２ｄは、仮点灯量輝度分布が示す複数の区分領域の各々の輝度のうち、代表点が設定された区分領域における輝度（現状輝度）を取得する。点灯量補正部２２ｄは、代表点を表示出力するために必要な輝度と現状輝度との差分を算出する。点灯量補正部２２ｄは、この差分を、この区分領域に対応する光源５１の点灯量を、第２上限輝度（ＬＩＭＩＴ）を上限として補正した場合に補えるか否か判定する。具体的には、点灯量補正部２２ｄは、例えばこの区分領域に対応する光源５１の点灯量を第２上限輝度（ＬＩＭＩＴ）以下の点灯量に補正した場合の輝度分布を、仮点灯量輝度分布計算部２２ｃによる仮点灯量輝度分布と同様の方法で算出し、算出された輝度分布によってこの区分領域の必要輝度が得られるか否か判定する。得られると判定された場合、点灯量補正部２２ｄは、この区分領域の必要輝度が得られる最低の点灯量でこの区分領域に対応する光源５１の点灯量を補正する。得られないと判定された場合、点灯量補正部２２ｄは、この区分領域に対応する光源５１の点灯量を第２上限輝度（ＬＩＭＩＴ）とするとともに、この区分領域に対応する光源５１の点灯量を第２上限輝度（ＬＩＭＩＴ）としてもなお不足する輝度分と、不足する輝度分が生じた区分領域の配置を示す情報と、この区分領域において最大の輝度を示す小区分領域の配置とを示す情報（参照情報）を隣接光源点灯量補正部２２ｅに出力する。
【００５１】
なお、光源点灯量補正によって必要輝度が得られない区分領域がなくなった場合、照明点灯量計算部２２は、点灯量補正部２２ｄによる補正後の輝度に対応する点灯量で複数の光源５１を点灯させるための光源駆動信号ＢＬを出力する。
【００５２】
隣接光源点灯量補正部２２ｅは、参照情報が点灯量補正部２２ｄから入力された場合に隣接光源点灯量補正を行う。隣接光源点灯量補正部２２ｅによる隣接光源点灯量補正は、上記の図９を参照して説明した隣接光源点灯量補正に対応する。具体的には、隣接光源点灯量補正部２２ｅは、参照情報に含まれる情報のうち、不足する輝度分が生じた区分領域の配置を示す情報と、この区分領域において最大の輝度を示す小区分領域の配置を示す情報とに基づいて、不足する輝度分を補うために点灯量を上昇させる光源５１を決定する。
【００５３】
隣接光源点灯量補正部２２ｅは、点灯量補正部２２ｄによる光源点灯量補正を経てなお不足する輝度分があった区分領域において最大の輝度を示す小区分領域と隣接する区分領域に対応する光源５１の点灯量を上昇させるよう、この小区分領域と隣接する区分領域に設定されている輝度を上昇させる。また、隣接光源点灯量補正部２２ｅは、この小区分領域と隣接する区分領域が複数ある場合、予め定められている優先順位に従って輝度を上昇させる区分領域を決定する。優先順位を示す情報は、例えば参照データ２２ｆに含まれている。
【００５４】
図１８は、不足する輝度分が生じた区分領域と、この区分領域において最大の輝度を示す小区分領域と、不足する輝度分を補うために点灯量を上昇させる隣接光源点灯量補正の対象となる光源の配置に対応する区分領域との対応関係及び光源点灯量補正の実施順序の一例を示す図である。図１８及び後述する図２４では、隣接光源点灯量補正の対象となる光源に対応する区分領域の優先順序を、括弧付き数字（（１），（２），（３））で示している。
【００５５】
本実施形態では、隣接光源点灯量補正部２２ｅは、光源点灯量補正を経てなお不足する輝度分があった区分領域において最大の輝度を示す小区分領域と隣接する区分領域のうち、Ｘ方向に隣接する区分領域（１）に対応する光源５１を最も優先して隣接光源点灯量補正の対象とする。隣接光源点灯量補正部２２ｅは、第２上限輝度（ＬＩＭＩＴ）を上限としてこの区分領域（１）に対応する光源５１の点灯量を補正した場合に点灯量補正部２２ｄによる光源点灯量補正を経てなお不足する輝度分を補えるか否か判定する。具体的には、隣接光源点灯量補正部２２ｅは、例えばこの区分領域（１）に対応する光源５１の点灯量を第２上限輝度（ＬＩＭＩＴ）以下の点灯量に補正した場合の輝度分布を、仮点灯量輝度分布計算部２２ｃによる仮点灯量輝度分布と同様の方法で算出し、算出された輝度分布によって不足する輝度分が生じた区分領域の必要輝度が得られるか否か判定する。得られると判定された場合、隣接光源点灯量補正部２２ｅは、不足する輝度分が生じた区分領域の必要輝度が得られる最低の点灯量でこの区分領域（１）に対応する光源５１の点灯量を補正する。得られないと判定された場合、隣接光源点灯量補正部２２ｅは、この区分領域（１）に対応する光源５１の点灯量を第２上限輝度（ＬＩＭＩＴ）とするとともに、光源点灯量補正を経てなお不足する輝度分があった区分領域において最大の輝度を示す小区分領域と隣接する区分領域のうち、Ｙ方向に隣接する区分領域（２）に対応する光源５１を次いで優先される隣接光源点灯量補正の対象とする。隣接光源点灯量補正部２２ｅは、第２上限輝度（ＬＩＭＩＴ）を上限としてこの区分領域（２）に対応する光源５１の点灯量を補正した場合に点灯量補正部２２ｄによる光源点灯量補正を経てなお不足する輝度分を補えるか否か判定し、補えると判定された場合には上記の区分領域（１）と同様の処理を行う。補えないと判定された場合、隣接光源点灯量補正部２２ｅは、この区分領域（１）に対応する光源５１の点灯量を第２上限輝度（ＬＩＭＩＴ）とするとともに、光源点灯量補正を経てなお不足する輝度分があった区分領域において最大の輝度を示す小区分領域と隣接する区分領域のうち、斜め方向に隣接する区分領域（３）に対応する光源５１を次いで優先される隣接光源点灯量補正の対象とする。以降、隣接光源点灯量補正部２２ｅは、区分領域（１），（２）の場合と同様の処理を区分領域（３）についても行う。
【００５６】
図１８及び後述する図２４では、隣接光源点灯量補正の対象の優先順位を（１）〜（３）まで例示しているが、（４）以降が予め設定されていてもよい。この場合、区分領域（３）に対する隣接光源点灯量補正を経てなお不足する輝度分を補えない場合、（４）以降の区分領域についても上記の（１）〜（３）と同様の処理を行うようにしてもよい。
【００５７】
図１９は、隣接光源点灯量補正後の複数の区分領域の輝度の一例を示す模式図である。図１９に示す例では、点灯量補正部２２ｄによる光源点灯量補正で［ｈ＝３］，［ｖ＝１］の区分領域の輝度が１００［％］から第２上限輝度（ＬＩＭＩＴ）に対応する１２５［％］に上昇している。また、図７を参照した説明において、［ｈ＝３］，［ｖ＝１］の区分領域に含まれる小区分領域のうち必要な輝度が最高の輝度である区分領域（［ｈ＝２］，［ｖ＝０］に隣接する左上側の小区分領域）と隣接する区分領域のうち、Ｘ方向に隣接する区分領域（１）である［ｈ＝２］，［ｖ＝１］の区分領域に対して隣接光源点灯量補正部２２ｅによる隣接光源点灯量補正が行われている。図１９では、この隣接光源点灯量補正によって［ｈ＝２］，［ｖ＝１］の区分領域の輝度が、再設定後の５０［％］から６０［％］に上昇している。なお、隣接光源点灯量補正が行われた区分領域の輝度はあくまで一例であってこれに限られるものでなく、例えば再設定後の輝度が１２５／２＝６２．５［％］であってもよい。
【００５８】
隣接光源点灯量補正部２２ｅによる隣接光源点灯量補正が行われた場合、照明点灯量計算部２２は、隣接光源点灯量補正部２２ｅによる補正後の輝度に対応する点灯量で複数の光源５１を点灯させるための光源駆動信号ＢＬを出力する。このように、照明点灯量計算部２２としての機能を有する信号処理部２０は、画像信号に基づいて光源駆動信号ＢＬを出力する制御部として機能する。
【００５９】
なお、点灯量補正部２２ｄは、必要輝度が最高の輝度であった小区分領域に限らず全ての小区分領域で代表点を設定し、１つの区分領域の全ての小区分領域について上記と同様の光源点灯量補正を行ってもよい。この場合、隣接光源点灯量補正部２２ｅは、１つの区分領域の全ての小区分領域で行われた点灯量補正部２２ｄによる補正が行われた結果、不足している輝度を補う。
【００６０】
図１８では、必要輝度が最高の輝度であった小区分領域に限らず全ての小区分領域で代表点を設定し、１つの区分領域の全ての小区分領域で上記と同様の処理を行う場合の光源点灯量補正の実施順序を例示している。本実施形態では、全ての小区分領域で代表点を設定する場合の光源点灯量補正の実施順序が予め定められている。具体的には、点灯量補正部２２ｄは、予め算出順序を管理するための変数（ｚ）を所定の初期値（例えば、０）で定義し、設定された代表点を用いて光源点灯量補正を行う。点灯量補正部２２ｄは、１つの小区分領域の代表点を用いた光源点灯量補正が完了すると、変数（ｚ）に１を加算して変数に設定された数値に対応した小区分領域の代表点を用いた光源点灯量補正を行う。変数（ｚ）の数値加算及び光源点灯量補正の繰り返しは、変数（ｚ）の数値が所定の最終値（例えば、３）になった後の光源点灯量補正が完了した時点で終了する。図１８では、１つの区分領域に含まれる４つの小区分領域のうち、ＸＹ座標がより小さい番号の区分領域に隣接する小区分領域（例えば、左上の小区分領域）がｚ＝０に対応する小区分領域である。また、他の３つの小区分領域のうち、Ｙ座標がより小さい番号の区分領域に隣接する小区分領域（例えば、右上の小区分領域）がｚ＝１に対応する小区分領域である。また、残る２つの小区分領域のうち、Ｘ座標がより小さい番号の区分領域に隣接する一方の小区分領域（例えば、左下の小区分領域）がｚ＝２に対応する小区分領域であり、他方の小区分領域（例えば、右下の小区分領域）がｚ＝３に対応する小区分領域である。
【００６１】
輝度分布計算部２３は、光源駆動信号ＢＬが示す複数の光源５１の各々の点灯量によりもたらされる光源装置５０全体の輝度分布を計算する。具体的には、輝度分布計算部２３は、輝度分布計算部２３が有する記憶部に予め記憶されている参照データと同様のデータ、輝度分布計算部２３に実装済みのアルゴリズム等によって求める。輝度分布計算部２３は、照明点灯量計算部２２の参照データ２２ｆを参照可能に設けられていてもよい。参照データ２２ｆは、信号処理部２０が有する機能全般から参照可能に設けられていてもよい。輝度分布計算部２３は、この輝度分布を示す輝度分布情報ＢＭを画素処理部２４に出力する。
【００６２】
画素処理部２４は、輝度分布情報ＢＭが示す輝度分布で処理前信号ＢＤに基づいた表示出力を行うための画素４８の階調値を求める。具体的には、例えば仮点灯量再設定部２２ｂによって輝度が再設定された区分領域では、ブロック必要輝度算出部２１によって設定された再設定前の輝度よりも光源装置５０からの光が強くなることから、処理後信号ＡＤが示す階調値のまま画素４８の透過率を制御すると当該画素４８が必要以上に明るくなってしまうことがある。そこで、画素処理部２４は、輝度が再設定された区分領域に含まれる画素４８を構成する副画素４９の各々の階調値を補正する。一例を挙げると、［ｈ＝３］，［ｖ＝０］の区分領域の輝度（３０［％］）は、再設定用輝度（５０［％］）で再設定されている。画素処理部２４は、［ｈ＝３］，［ｖ＝０］の区分領域に含まれる画素４８を構成する副画素４９の各々の階調値を、再設定前後の輝度の比率に応じて補正する。例えば、［ｈ＝３］，［ｖ＝０］の区分領域に含まれる画素４８の階調値が（Ｒ，Ｇ，Ｂ）＝（５０，１００，１５０）であることを示す情報が処理後信号ＡＤに含まれていたとする。この場合、画素処理部２４は、（Ｒ，Ｇ，Ｂ）＝（５０，１００，１５０）の階調値に、再設定前の輝度（３０［％］）に対する再設定後の輝度（５０［％］）の倍率（５／３）の逆数（３／５）を乗じて補正する。したがって、この場合、画素処理部２４は、（Ｒ，Ｇ，Ｂ）＝（５０，１００，１５０）の階調値を、（Ｒ，Ｇ，Ｂ）＝（３０，６０，９０）と補正する。
【００６３】
また、処理前信号ＢＤは所謂ＲＧＢ信号であり、処理後信号ＡＤは所謂ＲＧＢＷ信号であるので、画素処理部２４は、ＲＧＢ信号をＲＧＢＷ信号に置換する処理を併せて行う。具体的には、補正後の（Ｒ，Ｇ，Ｂ）＝（３０，６０，９０）の階調値に対応した出力は、（Ｒ，Ｇ，Ｂ）＝（３０，３０，３０）の成分に対応した出力を白色成分（Ｗ）に割り当てることで、（Ｒ，Ｇ，Ｂ，Ｗ）＝（０，３０，６０，３０）とすることができる。画素処理部２４は、このような白色成分（Ｗ）に割り当て可能な出力を画素４８が有する第４副画素４９Ｗに割り当てる処理を併せて行う。
【００６４】
図２０は、実施形態の表示装置で再現可能な再現ＨＳＶ色空間の概念図である。本実施形態では、画素４８が第４副画素４９Ｗを有するので、処理後信号ＡＤを求める際に処理前信号ＢＤの色空間を拡張した色空間を採用することができる。図２０に示したように、第４の色を加えた再現ＨＳＶ色空間は、第１副画素４９Ｒ、第２副画素４９Ｇ及び第３副画素４９Ｂが表示することのできる円柱形状のＨＳＶ色空間に、彩度Ｓが高くなるほど明度Ｖの最大値が低くなる略台形形状となる立体が載っている形状となる。信号処理部２０は、第４の色を加えることで拡大された再現ＨＳＶ色空間における彩度Ｓを変数とした明度の最大値Ｖｍａｘ（Ｓ）が記憶している記憶部を有する。つまり、信号処理部２０は、図２０に示した再現ＨＳＶ色空間の立体形状について、彩度Ｓ及び色相Ｈの座標（値）ごとに明度の最大値Ｖｍａｘ（Ｓ）の値を記憶している。
【００６５】
なお、画像信号ＳＲＧＢは、第１原色、第２原色及び第３原色に対応する画像信号値を有する信号であるため、画像信号ＳＲＧＢのＨＳＶ色空間は、円柱形状、すなわち、図２０に示した再現ＨＳＶ色空間の円柱形状部分と同じ形状となる。したがって、表示用信号ＳＲＧＢＷは、再現ＨＳＶ色空間に対し、画像信号ＳＲＧＢを伸張した伸張画像信号として算出することができる。この伸張画像信号は、再現ＨＳＶ色空間における明度レベルを比較することで決定される伸張係数αによって伸張する。伸張係数αによって画像信号の信号レベルを伸張することで、第４副画素４９Ｗの値を大きくとることができ、画像全体の輝度を向上することができる。このとき、伸張係数αで画像全体の輝度が向上した分、光源装置５０の輝度を１／αに下げることで、画像信号ＳＲＧＢと全く同じ輝度で表示することが可能となる。伸張係数αの算出及び伸張係数αに応じて１／αに下げられた光源装置５０の輝度は、例えばブロック必要輝度算出部２１が必要輝度として算出する。すなわち、仮設定情報ＢＢが示す輝度は、伸張係数αに応じて１／αに下げられた光源装置５０の輝度に対応する区分領域の必要輝度であってもよい。伸張係数αに応じた副画素４９の階調値を求める処理は、例えば画素処理部２４が行う。
【００６６】
次に、画像信号ＳＲＧＢの伸張について説明する。信号処理部２０では、χを表示装置１０に依存した定数としたとき、第（ｐ，ｑ）番目の画素（または第１副画素４９Ｒ、第２副画素４９Ｇ及び第３副画素４９Ｂの組）への第１副画素４９Ｒの表示用信号であるＸ１(p,q)、第２副画素４９Ｇの表示用信号であるＸ２(p,q)及び第３副画素４９Ｂの表示用信号であるＸ３(p,q)は、伸張係数αと定数χを用いて、次のように表現することができる。χについては後述する。
Ｘ１(p,q)＝α・ｘ１(p,q)−χ・Ｘ４(p,q)・・・（１）
Ｘ２(p,q)＝α・ｘ２(p,q)−χ・Ｘ４(p,q)・・・（２）
Ｘ３(p,q)＝α・ｘ３(p,q)−χ・Ｘ４(p,q)・・・（３）
【００６７】
また、表示用信号値Ｘ４(p,q)は、Ｍｉｎ(p,q)と伸張係数αとの積に基づき求めることができる。Ｍｉｎ(p,q)は、画像信号値ｘ１(p,q)、ｘ２(p,q)、ｘ３(p,q)のうちの最小値である。具体的には、下記の式（４）に基づいて、表示用信号値Ｘ４(p,q)を求めることができる。なお、式（４）では、Ｍｉｎ(p,q)と伸張係数αとの積をχで除しているが、これに限定するものではない。また、伸張係数αは、１画像表示フレームごとに決定される。
Ｘ４(p,q)＝Ｍｉｎ(p,q)・α／χ                                ・・・（４）
【００６８】
一般に、第（ｐ，ｑ）番目の画素において、第１原色の画像信号値ｘ１(p,q)、第２原色の画像信号値ｘ２(p,q)及び第３原色の画像信号値ｘ３(p,q)を含む画像信号ＳＲＧＢに基づき、円柱のＨＳＶ色空間における彩度Ｓ(p,q)及び明度Ｖ（Ｓ）(p,q)は、次の式（５），（６）から求めることができる。
Ｓ(p,q)＝（Ｍａｘ(p,q)−Ｍｉｎ(p,q)）／Ｍａｘ(p,q)・・・（５）
Ｖ（Ｓ）(p,q)＝Ｍａｘ(p,q)・・・（６）
【００６９】
なお、Ｍａｘ(p,q)は、画像信号ＳＲＧＢの画像信号値ｘ１(p,q)、ｘ２(p,q)、ｘ３(p,q)のうちの最大値である。Ｍｉｎ(p,q)は、３つの副画素の入力値のうちの最小値である。また、彩度Ｓは０から１までの値をとることができ、明度Ｖ（Ｓ）は０から（２n−１）までの値をとることができる。ｎは、表示階調ビット数である。
【００７０】
第４の色を表示する第４副画素４９Ｗは、同じ点灯量で照射された場合、第１原色を表示する第１副画素４９Ｒ、第２原色を表示する第２副画素４９Ｇ及び第３原色を表示する第３副画素４９Ｂよりも明るい。第１副画素４９Ｒに第１副画素４９Ｒの表示用信号の最大信号値に相当する値を有する信号が入力され、第２副画素４９Ｇに第２副画素４９Ｇの表示用信号の最大信号値に相当する値を有する信号が入力され、第３副画素４９Ｂに第３副画素４９Ｂの表示用信号の最大信号値に相当する値を有する信号が入力されたときの画素４８または画素４８の群が備える第１副画素４９Ｒ、第２副画素４９Ｇ及び第３副画素４９Ｂの集合体の輝度をＢＮ1-3とする。また、画素４８または画素４８の群が備える第４副画素４９Ｗの表示用信号の最大信号値に相当する値を有する信号が入力されたときの第４副画素４９Ｗの輝度をＢＮ4としたときを想定する。すなわち、第１副画素４９Ｒ、第２副画素４９Ｇ及び第３副画素４９Ｂの集合体によって最大輝度の白色が表示され、この白色の輝度がＢＮ1-3で表される。すると、表示装置１０に依存した定数χは、χ＝ＢＮ4／ＢＮ1-3で表される。
【００７１】
ところで、表示用信号値Ｘ４(p,q)が、上記の式（４）で与えられる場合、再現ＨＳＶ色空間における彩度Ｓを変数とした明度の最大値Ｖｍａｘ（Ｓ）は、次の式（７），（８）で表すことができる。式（７）は、Ｓ≦Ｓ0の場合を示す。式（８）は、Ｓ0＜Ｓ≦１の場合を示す。式（８）では、Ｓ0＝１／（χ＋１）である。
Ｖｍａｘ（Ｓ）＝（χ＋１）・（２n−１）・・・（７）
Ｖｍａｘ（Ｓ）＝（２n−１）・（１／Ｓ）・・・（８）
【００７２】
このようにして得られた第４の色を加えることによって再現ＨＳＶ色空間における彩度Ｓを変数とした明度の最大値Ｖｍａｘ（Ｓ）が、例えば、信号処理部２０に一種のルックアップテーブルとして記憶されている。あるいは、再現ＨＳＶ色空間における彩度Ｓを変数とした明度の最大値Ｖｍａｘ（Ｓ）は、都度、信号処理部２０において求められる。伸張係数αは、ＨＳＶ色空間における明度Ｖ（Ｓ）を再現ＨＳＶ色空間に伸張する係数であり、次の式（９）で表すことができる。
α（Ｓ）＝Ｖｍａｘ（Ｓ）／Ｖ（Ｓ）・・・（９）
【００７３】
伸張演算では、例えば、複数の画素４８において求められたα（Ｓ）に基づき、伸張係数αを決定する。なお、伸張演算は、（第１副画素４９Ｒ＋第４副画素４９Ｗ）によって表示される第１原色の輝度、（第２副画素４９Ｇ＋第４副画素４９Ｗ）によって表示される第２原色の輝度、（第３副画素４９Ｂ＋第４副画素４９Ｗ）によって表示される第３原色の輝度の比を保つように行われる。しかも、色調を保持（維持）するように行われる。さらには、階調−輝度特性（ガンマ（γ）特性）を保持（維持）するように行われる。また、いずれかの画素４８または画素４８の群において、画像信号値のすべてが０である場合、または小さい場合には、このような画素４８または画素４８の群を含めることなく伸張係数αを算出するとしてもよい。
【００７４】
信号処理部２０は、例えば伸張係数αを画素ごとに算出し、任意の領域の画素について算出した伸張係数αのうちの少なくとも１つに基づき、任意の領域の伸張係数αを決定するようにしてもよいし、サンプリングされた画素の伸張係数αのうちの少なくとも１つに基づき、任意の領域の伸張係数αを決定するようにしてもよい。任意の領域は、１画素であっても表示面全体であってもよく、例えば区分領域を任意の領域としてもよい。そして、式（１），（２），（３），（４）を用いて画像信号ＳＲＧＢを表示用信号ＳＲＧＢＷに変換する。
【００７５】
このように、伸張係数αを用いて光源装置５０の分割駆動制御と、画像表示パネル３０への画像表示制御と、を行うことにより、光源装置５０の輝度を、表示装置１０の再現ＨＳＶ色空間において色再現が可能な最も低い値とすることができる。これによって、表示装置１０の電力消費を削減することが可能となる。
【００７６】
図２１は、光源駆動信号ＢＬを求める処理の流れの一例を示すフローチャートである。まず、仮点灯量設定部２２ａは、区分領域を複数に分割した小区分領域の各々における画像信号に基づいて小区分領域の各々の必要輝度を算出し、各々の区分領域が有する複数の小区分領域の各々の必要輝度のうち最大の輝度に基づいて、複数の光源の点灯量を決定するための各々の区分領域の輝度を仮設定する。仮点灯量設定部２２ａは、光源点灯量仮設定として、このような区分領域の輝度の仮設定を行う（ステップＳ１）。次に、仮点灯量再設定部２２ｂは、小区分領域に必要な輝度に所定の係数を乗じて算出された再設定用輝度が当該小区分領域に隣接する区分領域の輝度よりも大きい場合に当該再設定用輝度を当該区分領域の輝度として再設定する。仮点灯量再設定部２２ｂは、隣接光源点灯量再設定として、このような区分領域の輝度の再設定を行う（ステップＳ２）。次に、仮点灯量輝度分布計算部２２ｃは、仮点灯量再設定部２２ｂによる再設定後の輝度が反映された点灯量に応じた仮点灯量輝度分布を算出する（ステップＳ３）。
【００７７】
その後、必要に応じて、点灯量補正部２２ｄは、必要輝度と仮点灯量輝度分布との差に基づいて、必要輝度を得るための光源５１の点灯量の補正（光源点灯量補正）を行う（ステップＳ４）。また、隣接光源点灯量補正部２２ｅは、点灯量補正部２２ｄから入力された参照情報に応じて隣接光源点灯量補正を行う（ステップＳ５）。
【００７８】
図２２は、図２１に示す光源点灯量補正の算出処理の流れの一例を示すフローチャートである。図２２は、必要輝度が最高の輝度であった小区分領域に限らず全ての小区分領域で代表点を設定し、１つの区分領域の全ての小区分領域について上記と同様の光源点灯量補正を行った場合にこの１つの区分領域において行われる光源の点灯量補正の実施ルーチン例を示している。点灯量補正部２２ｄは、区分領域のＹ座標を管理するための変数（ｙｖ）を所定の初期値（例えば、ｙｖ＝０）にする（ステップＳ１１）。点灯量補正部２２ｄは、区分領域のＸ座標を管理するための変数（ｘｈ）を所定の初期値（例えば、ｘｈ＝０）にする（ステップＳ１２）。点灯量補正部２２ｄは、小区分領域の必要輝度からの光源点灯量補正の実施順序を管理するための変数（ｚ）を所定の初期値（例えば、ｚ＝０）にする（ステップＳ１３）。変数（ｙｖ）、変数（ｘｈ）及び変数（ｚ）は、点灯量補正部２２ｄが光源点灯量補正の算出処理で用いるカウンタの値を設定するためのものであり、点灯量補正部２２ｄに予め実装されている論理回路によるカウンタで管理するものであってもよいし、所謂ソフトウェア・プログラムによる処理で管理するものであってもよい。点灯量補正部２２ｄは、ＸＹ座標の変数［ｈ＝（ｘｈ）］，［ｖ＝（ｙｖ）］に対応する区分領域に含まれる複数の小区分領域のうち、変数（ｚ）に対応する小区分領域で代表点を設定し、この代表点を用いた光源５１の点灯量の補正を行う（ステップＳ１４）。
【００７９】
ステップＳ１４の完了後、点灯量補正部２２ｄは、変数（ｚ）の値が光源点灯量補正の実施順序を管理するための変数の最大値（ｚｍａｘ）であるか否か判定する（ステップＳ１５）。図１８に示す例の場合、ｚｍａｘ＝３である。変数（ｚ）の値が最大値（ｚｍａｘ）でない場合（ステップＳ１５；Ｎｏ）、点灯量補正部２２ｄは、変数（ｚ）の値に１を加算し（ステップＳ１６）、ステップＳ１４の処理に移行する。
【００８０】
変数（ｚ）の値が最大値（ｚｍａｘ）である場合（ステップＳ１５；Ｙｅｓ）、点灯量補正部２２ｄは、変数（ｘｈ）の値が区分領域のＸ座標を管理するための変数の最大値（ｈｍａｘ）であるか否か判定する（ステップＳ１７）。図１４に示す例の場合、ｈｍａｘ＝６である。変数（ｘｈ）の値が最大値（ｈｍａｘ）でない場合（ステップＳ１７；Ｎｏ）、点灯量補正部２２ｄは、変数（ｘｈ）の値に１を加算し（ステップＳ１８）、ステップＳ１３の処理に移行する。
【００８１】
変数（ｘｈ）の値が最大値（ｈｍａｘ）である場合（ステップＳ１７；Ｙｅｓ）、点灯量補正部２２ｄは、変数（ｙｖ）の値が区分領域のＸ座標を管理するための変数の最大値（ｖｍａｘ）であるか否か判定する（ステップＳ１９）。図１４に示す例の場合、ｖｍａｘ＝３である。変数（ｙｖ）の値が最大値（ｖｍａｘ）でない場合（ステップＳ１９；Ｎｏ）、点灯量補正部２２ｄは、変数（ｙｖ）の値に１を加算し（ステップＳ２０）、ステップＳ１２の処理に移行する。変数（ｙｖ）の値が最大値（ｖｍａｘ）である場合（ステップＳ１９；Ｙｅｓ）、光源点灯量補正、すなわち、ステップＳ４の処理が完了する。
【００８２】
以上、実施形態１によれば、少なくとも、必要な輝度が最大の輝度である小区分領域に隣接する区分領域の輝度を再設定するので、再設定される対象となる区分領域を表示出力内容の変化に応じて変化させることができ、輝度が上昇するよう補正される光源を分散させやすくなる。したがって、光源の負荷をより低下させることができる。また、表示出力内容の変化に伴い、必要な輝度が最大の輝度である小区分領域における高輝度出力がこの小区分領域に隣接する区分領域側に遷移した場合に区分領域単位での輝度の変化の度合いをより小さくすることができ、突然輝度が大きく変化することによる画質の劣化を抑制しやすくなる。したがって、より良好な画質で表示出力を行うことができる。
【００８３】
また、再設定後の区分領域の輝度及び当該区分領域が有する複数の小区分領域の各々に必要な輝度のうち少なくとも最大の輝度に基づいて、所定の第２上限輝度以下の範囲内で当該区分領域を照明する光源の点灯量を補正する。これによって、表示出力に必要な光量をより確実に得ることができる。
【００８４】
また、小区分領域に必要な輝度に所定の係数を乗じて算出された再設定用輝度が当該小区分領域に隣接する区分領域の輝度よりも大きい場合に当該再設定用輝度を当該区分領域の輝度として再設定する。これによって、小区分領域の輝度と、この小区分領域に隣接する区分領域の輝度との差をより小さくしやすくなる。よって、小区分領域における高輝度出力がこの小区分領域に隣接する区分領域側に遷移した場合に区分領域単位での輝度の変化の度合いをより小さくすることができ、突然輝度が大きく変化することによる画質の劣化を抑制しやすくなる。したがって、より良好な画質で表示出力を行うことができる。
【００８５】
また、複数の区分領域は、少なくとも一方向（例えば、Ｘ方向及びＹ方向の二方向）に沿って配置されている。また、区分領域を小区分領域に分割する２つの分割線は、少なくともこの一方向（例えば、Ｘ方向及びＹ方向の二方向）に沿う。これによって、区分領域の並列方向と小区分領域の並列方向とを対応させることができ、輝度の再設定に関する規則性の確保をより容易にすることができる。また、光源装置５０は、少なくとも一方向（例えば、Ｘ方向及びＹ方向の二方向）に沿って複数の光源が配置されている。これによって、区分領域の輝度と光源５１の点灯量とをより対応させやすくなり、輝度の再設定に応じた光源５１の制御の仕組みをより簡易にすることができる。
【００８６】
（実施形態２）
次に、実施形態１と異なる本発明の実施形態２について説明する。実施形態２の説明において、実施形態１と同様の構成については同じ符号を付して説明を省略することがある。また、実施形態２の説明において特筆されない構成については実施形態１と同様の構成を採用することができる。
【００８７】
図２３は、実施形態２に係る表示装置の構成の一例を示すブロック図である。実施形態２の表示装置は、実施形態１の表示装置の構成に加えて、さらに、切替部２５を備える。切替部２５は、点灯量補正部２２ｄによる光源点灯量補正の実施順序を切り替えるための回路である。具体的には、切替部２５は、例えば、計算順序記憶部２６、タイマー２７、ＲＯＭ２８等を有する。
【００８８】
計算順序記憶部２６は、点灯量補正部２２ｄに採用させる光源点灯量補正の実施順序を記憶する。具体的には、実施形態２では、光源点灯量補正の実施順序が複数パターン（例えば、２パターン）設けられている。複数パターンの実施順序は、ＲＯＭ２８が保持している。計算順序記憶部２６は、複数パターンの実施順序のうち現時点で点灯量補正部２２ｄに採用させる光源点灯量補正の実施順序のパターンをＲＯＭ２８から読み出して記憶している。
【００８９】
図２４は、不足する輝度分が生じた区分領域と、この区分領域において最大の輝度を示す小区分領域と、不足する輝度分を補うために点灯量を上昇させる隣接光源点灯量補正の対象となる光源５１の配置に対応する区分領域との対応関係及び光源点灯量補正の実施順序の他の一例を示す図である。実施形態２では、図１８を参照して説明した光源点灯量補正の実施順序を１パターンとしてＲＯＭ２８が記憶している。また、実施形態２では、図２４が示す光源点灯量補正の実施順序を他の１パターンとしてＲＯＭ２８が記憶している。図２４では、１つの区分領域に含まれる４つの小区分領域のうち、ＸＹ座標がより大きい番号の区分領域に隣接する小区分領域（例えば、右下の小区分領域）がｚ＝０に対応する小区分領域である。また、他の３つの小区分領域のうち、Ｙ座標がより大きい番号の区分領域に隣接する小区分領域（例えば、左下の小区分領域）がｚ＝１に対応する小区分領域である。また、残る２つの小区分領域のうち、Ｘ座標がより大きい番号の区分領域に隣接する一方の小区分領域（例えば、右上の小区分領域）がｚ＝２に対応する小区分領域であり、他方の小区分領域（例えば、左上の小区分領域）がｚ＝３に対応する小区分領域である。
【００９０】
なお、パターンの切り替えに伴い、光源点灯量補正の実施順序に加えて、隣接光源点灯量補正の対象の優先順位を切り替えるようにしてもよい。具体的には、例えば図２４に示すように、他の１パターンが採用されている場合には、光源点灯量補正を経てなお不足する輝度分があった区分領域において最大の輝度を示す小区分領域と隣接する区分領域のうち、Ｙ方向に隣接する区分領域（１）に対応する光源５１を最も優先して隣接光源点灯量補正の対象とするようにしてもよい。また、この最大の輝度を示す小区分領域と隣接する区分領域のうち、Ｘ方向に隣接する区分領域（２）に対応する光源５１を次いで優先して隣接光源点灯量補正の対象とするようにしてもよい。
【００９１】
タイマー２７は、光源点灯量補正の実施順序を他のパターンに切り替えるタイミングを決定するための計時を行う。具体的には、タイマー２７は、所定の時間が経過するたびに光源点灯量補正の実施順序を他のパターンに切り替えるタイミングを示す切替タイミング信号ＴＤを計算順序記憶部２６に出力する。
【００９２】
実施形態２の制御装置１１は、切替部２５に対して所定周期でクロック信号ＣＳを出力する。計算順序記憶部２６は、クロック信号ＣＳの入力タイミングに応じて切替タイミング信号ＴＤが入力されたかチェックする。切替タイミング信号ＴＤが入力された場合、計算順序記憶部２６は、記憶している光源点灯量補正の実施順序のパターンとは異なるパターンの光源点灯量補正の実施順序のパターンを採用パターンＲＤとして読み出す。計算順序記憶部２６は、採用パターンＲＤを点灯量補正部２２ｄに採用させる指令信号ＰＬを照明点灯量計算部２２に出力する。
【００９３】
なお、光源点灯量補正の実施順序が３パターン以上ある場合、計算順序記憶部２６は、３パターン以上の実施順序の採用順序を示すデータを保持しており、このデータに応じた採用順序で光源点灯量補正の実施順序を選定してＲＯＭ２８から読み出して指令信号ＰＬを出力する。
【００９４】
なお、図２３では切替部２５が独立した構成として設けられているが、切替部２５の機能は、他の構成が有する機能であってもよい。例えば、信号処理部２０が切替部２５と同様の機能を有していてもよい。
【００９５】
パターンの切り替えによる光源点灯量補正の実施順序の変更対象は、代表点を用いた小区分領域単位での光源点灯量補正の実施順序（図２２のフローチャートにおけるｚに関する事項）に限られるものでない。例えば、図２２のフローチャートを参照して説明したｘｈ，ｙｖの初期値及びｘｈ，ｙｖの値の操作内容をパターンの切り替わりに応じて変更させてもよい。具体的には、他のパターンが採用されている場合にｘｈ，ｙｖの初期値を最大値（ｈｍａｘ，ｖｍａｘ）とし、ｘｈ，ｙｖが最低値（０）となるまでｘｈ，ｙｖから１を減算するようにしてもよい。これによって、１パターンと他の１パターンにおける小区分領域の処理対象遷移順序と同様に、光源点灯量補正が行われる区分領域の処理対象遷移順序をパターンに応じて変化（例えば、逆転）させることができる。これによって、輝度が上昇するよう補正される光源を分散させやすくなる。したがって、光源の負荷をより低下させることができる。また、このようなパターンの切り替わりに応じた区分領域の処理対象遷移順序の変化は、隣接光源点灯量補正の実施順序にも同様に適用可能である。
【００９６】
（変形例）
次に、本発明の実施形態１、実施形態２の変形例について説明する。変形例の説明において、実施形態１と同様の構成については同じ符号を付して説明を省略することがある。また、後述する各変形例は、実施形態１、実施形態２のいずれにも適用可能であり、変形例の説明において特筆されない構成については実施形態１、実施形態２と同様の構成を採用することができる。
【００９７】
（変形例１）
図２５は、変形例１に係る画像表示パネル３０の区分領域及び小区分領域の設定例を示す模式図である。変形例１のように、区分領域は、一方向に沿って配置され、かつ、一方向に直交する他方向に沿って並ぶ複数の区分領域の配置が互い違いであってもよい。具体的には、例えば図２５に示すように、複数の区分領域は、Ｘ方向に沿って並んで区分領域の行を形成するとともに、Ｙ方向に互い違いに並んで千鳥状の配置を形成していてもよい。なお、図２５では、１つの区分領域に含まれる複数の小区分領域の構成が実施形態１と同様である。輝度の再設定については、実施形態１及び実施形態２のいずれの構成をとってもよい。
【００９８】
図２６は、変形例１に係る光源装置５０Ａの光源５１ａの配置例を示す図である。変形例１では、例えば図２６に示すように、１つの区分領域に２つの光源が割り当てられていてもよい。図２６では、１つの区分領域に２つの光源５１ａが割り当てられてＸ方向に沿って等間隔で並び、かつ、光源装置５０Ａが有する複数の光源５１ａが行列方向に整列して配置されている。これによって、区分領域に対する再設定用輝度の再設定を光源５１ａ単位で行うことができる。具体的には、実施形態１で第１係数を用いて算出したＸ方向、Ｙ方向に隣接する区分領域の再設定用輝度が当該区分領域に再設定された場合、この再設定用輝度の算出を行った小区分領域に対してＸ方向又はＹ方向に沿って隣接する光源５１ａの点灯量に反映させるようにしてもよい。すなわち、区分領域を照明する全ての光源５１ａでなく、一部の光源５１ａに再設定用輝度が反映されるようにしてもよい。これによって、小区分領域単位での輝度差を、光源駆動信号ＢＬが示す輝度分布により忠実に反映しやすくなる。
【００９９】
変形例１において、図３を参照して説明した区分領域ごとに１つの光源５１が割り当てられている構成を取ってもよい。この場合、光源５１はＹ方向に互い違いに並ぶ。
【０１００】
（変形例２）
図２７は、変形例２に係る画像表示パネル３０の区分領域及び小区分領域の設定例を示す模式図である。図２８は、変形例２に係る光源装置５０Ｂの光源５１ｂの配置例を示す図である。上記の変形例１で他方向（Ｙ方向）の区分領域の配置が互い違いになったことで表示領域の一方向（Ｘ方向）の両端が行単位で段差を形成していた部分について、変形例２では当該段差を埋めるように設けられた略半分の区分領域Ｈを設けている。区分領域Ｈは、一方向の小区分領域の数が半減した区分領域である。光源装置５０Ｂの光源５１ｂの配置も区分領域Ｈに対応しており、区分領域Ｈを照明する略半分のブロックＩに配置されている光源５１ｂは、他の区分領域を照明する光源５１ｂに比して一方向に並ぶ数が半減している。輝度の再設定については、実施形態１及び実施形態２のいずれの構成をとってもよい。
【０１０１】
変形例１及び変形例２において、一方向と他方向の関係は逆でもよい。すなわち、一方向がＹ方向であり、他方向がＸ方向であってもよい。
【０１０２】
（変形例３）
図２９は、変形例３に係る画像表示パネル３０の区分領域及び小区分領域の設定例を示す模式図である。変形例３では、区分領域を複数の小区分領域に分割する２つの分割線は、光源装置５０が並ぶ一方向（例えば、Ｘ方向とＹ方向の少なくともいずれか一方）に沿わない。すなわち、例えば図２９に示すように、２つの分割線は、区分領域の矩形の対角線を形成するように斜め方向に沿って伸びていてもよい。厳密には、２つの分割線は、画素４８同士の境界線をなぞるように階段状の線となり、この階段が対角線の方向に沿って伸びている。輝度の再設定については、実施形態１及び実施形態２のいずれの構成をとってもよい。なお、この場合、隣接光源点灯量補正において各小区分領域の辺と対向する区分領域の光源を用いる優先順位がより高くなる。
【０１０３】
（変形例４）
図３０は、変形例４に係る画像表示パネル３０の区分領域及び小区分領域の設定例を示す模式図である。１つの区分領域を複数の小区分領域に分割する分割線は、２つに限られるものでない。例えば、図３０に示すように、１つの区分領域を複数の小区分領域に分割する分割線は、１つであってもよい。図３０に示す変形例４は、図２９に示す２つの分割線のうち一方のみが採用されている例を示しているが、他方のみが採用されてもよい。輝度の再設定については、実施形態１及び実施形態２のいずれの構成をとってもよい。なお、この場合、隣接光源点灯量補正において各小区分領域の辺と対向する区分領域の光源を用いる優先順位がより高くなる。
【０１０４】
（変形例５）
図３１は、変形例５に係る光源装置５０Ｃの構成例を示す図である。光源装置５０Ｃの光源は、区分領域の直下に設けられていなくてもよい。具体的には、例えば図３１に示すように、光源装置５０Ｃは、複数の光源５６Ａ、５６Ｂ、５６Ｃ、５６Ｄ、５６Ｅ及び５６Ｆを配列した第１サイドライト光源５２Ａ、複数の光源５７Ａ、５７Ｂ、５７Ｃ、５７Ｄ、５７Ｅ及び５７Ｆを配列した第２サイドライト光源５２Ｂ、を備えていてもよい。第１サイドライト光源５２Ａと、第２サイドライト光源５２Ｂとは、複数の光源５６Ａ、５６Ｂ、５６Ｃ、５６Ｄ、５６Ｅ及び５６Ｆと、複数の光源５７Ａ、５７Ｂ、５７Ｃ、５７Ｄ、５７Ｅ及び５７Ｆとが、入光方向の中心線ＬＸｃに対して線対称となるように配置されている。複数の光源５６Ａ、５６Ｂ、５６Ｃ、５６Ｄ、５６Ｅ、５６Ｆ、５７Ａ、５７Ｂ、５７Ｃ、５７Ｄ、５７Ｅ及び５７Ｆは、例えば、同色（例えば、白色）のＬＥＤである。輝度の再設定については、実施形態１及び実施形態２のいずれの構成をとってもよい。また、図３１に示す例の隣接光源点灯量補正では、各小区分領域に対してＸ方向に隣接する区分領域の光源が対象となる。図３１では、複数の光源５６Ａ、５６Ｂ、５６Ｃ、５６Ｄ、５６Ｅ及び５６Ｆと複数の光源５７Ａ、５７Ｂ、５７Ｃ、５７Ｄ、５７Ｅ及び５７ＦがそれぞれＸ方向に沿っているが、Ｙ方向に沿っていてもよい。複数の光源がＹ方向に沿う場合、各小区分領域に対してＹ方向に隣接する区分領域の光源が対象となる。第１サイドライト光源５２Ａと、第２サイドライト光源５２Ｂとは、例えば、画像表示パネル３０の背面側に設けられて複数の光源５６Ａ、５６Ｂ、５６Ｃ、５６Ｄ、５６Ｅ及び５６Ｆと複数の光源５７Ａ、５７Ｂ、５７Ｃ、５７Ｄ、５７Ｅ及び５７Ｆの並び方向に直交する方向に光を誘導するとともに画像表示パネル３０側に光を出射させる導光板を介して画像表示パネル３０を照明する。第１サイドライト光源５２Ａと、第２サイドライト光源５２Ｂとは、いずれか一方のみであってもよい。また、第１サイドライト光源５２Ａと、第２サイドライト光源５２Ｂの各々を構成する光源の数は任意である。
【０１０５】
図３２は、変形例５に係る画像表示パネル３０の区分領域及び小区分領域の設定例を示す模式図である。変形例５の場合、複数の光源５６Ａ、５６Ｂ、５６Ｃ、５６Ｄ、５６Ｅ及び５６Ｆと複数の光源５７Ａ、５７Ｂ、５７Ｃ、５７Ｄ、５７Ｅ及び５７Ｆの並び方向であるＸ方向についてのみ区分領域が複数の小区分領域に分割されている。これは、第１サイドライト光源５２Ａと、第２サイドライト光源５２Ｂとを構成する複数の光源５６Ａ、５６Ｂ、５６Ｃ、５６Ｄ、５６Ｅ及び５６Ｆと複数の光源５７Ａ、５７Ｂ、５７Ｃ、５７Ｄ、５７Ｅ及び５７Ｆの並び方向に対応する。変形例５のように、一方向について小区分領域を設けて再設定、補正を行うようにしてもよい。
【０１０６】
変形例５では、図３１に示す画像表示パネル３０の部分領域３１が図３２における［ｖ＝０］，［ｖ＝１］に対応する。また、図３１に示す画像表示パネル３０の部分領域３２が図３２における［ｖ＝２］，［ｖ＝３］に対応する。また、複数の光源５６Ａ〜５６Ｆ及び複数の光源５７Ａ〜５７Ｆは、例えばそれぞれ［ｈ＝０］〜［ｈ＝６］の区分領域同士を区分する境界線上に位置する。すなわち、変形例５では、１つの光源が２つ以上の区分領域で共有されている。
【０１０７】
以上、上記の実施形態１、２及び変形例（実施形態等）について述べたが、本発明の実施形態等はこれに限られるものでない。例えば、１つの区分領域に３つ以上の光源が割り当てられていてもよい。また、１つの区分領域が有する小区分領域の数は２又は４に限られるものでなく、３又は５以上であってもよい。また、１つの区分領域を複数の小区分領域に分割する分割線のパターンは、実施形態等の例示に限られるものでなく、任意である。複数の区分領域は、各々が１つ以上の光源により照明されるが、複数の光源の各々は、複数の区分領域のうち１つに割り当てられていなくてもよい。例えば、図３１に示すように、複数の区分領域が光源５６Ａ等を共有する構成であってもよい。
【０１０８】
また、実施形態等において述べた態様によりもたらされる他の作用効果について本明細書記載から明らかなもの、又は当業者において適宜想到し得るものについては、当然に本発明によりもたらされるものと解される。
【符号の説明】
【０１０９】
１０  表示装置
１１  制御装置
２０  信号処理部
２１  ブロック必要輝度算出部
２２  照明点灯量計算部
２２ａ  仮点灯量設定部
２２ｂ  仮点灯量再設定部
２２ｃ  仮点灯量輝度分布計算部
２２ｄ  点灯量補正部
２２ｅ  隣接光源点灯量補正部
２２ｆ  参照データ
２３  輝度分布計算部
２４  画素処理部
３０  画像表示パネル
４０  画像表示パネル駆動部
４８  画素
５０  光源装置
５１  光源
６０  光源装置駆動部
【図１】
2018097203.tif 000003
【図２】
2018097203.tif 000004
【図３】
2018097203.tif 000005
【図４】
2018097203.tif 000006
【図５】
2018097203.tif 000007
【図６】
2018097203.tif 000008
【図７】
2018097203.tif 000009
【図８】
2018097203.tif 000010
【図９】
2018097203.tif 000011
【図１０】
2018097203.tif 000012
【図１１】
2018097203.tif 000013
【図１２】
2018097203.tif 000014
【図１３】
2018097203.tif 000015
【図１４】
2018097203.tif 000016
【図１５】
2018097203.tif 000017
【図１６】
2018097203.tif 000018
【図１７】
2018097203.tif 000019
【図１８】
2018097203.tif 000020
【図１９】
2018097203.tif 000021
【図２０】
2018097203.tif 000022
【図２１】
2018097203.tif 000023
【図２２】
2018097203.tif 000024
【図２３】
2018097203.tif 000025
【図２４】
2018097203.tif 000026
【図２５】
2018097203.tif 000027
【図２６】
2018097203.tif 000028
【図２７】
2018097203.tif 000029
【図２８】
2018097203.tif 000030
【図２９】
2018097203.tif 000031
【図３０】
2018097203.tif 000032
【図３１】
2018097203.tif 000033
【図３２】
2018097203.tif 000034